(57)【要約】【課題】破風納め板を，生産効率よく安価に製造するための建築板と，その建築板から製造された破風納め板を配設した施工構造を提供すること。【解決手段】破風板の先端に配設する破風納め板を切断採取するための建築板１である。建築板１は，等長の２辺の長辺１１，１２がなす直角頂点１９を２等分する対称線分を中心とした線対称の形状を呈している。そして，建築板１は，２辺の長辺１１，１２と，該各長辺１１，１２と直交して相互に近づく方向に延びる２辺の短辺と，該各短辺と略直交して一方の長辺１２，１１に向かって延びる２辺の突出辺１７，１８と，該２辺の突出辺１７，１８の先端部１７１，１８１を結ぶ斜辺１６とからなる。建築板１の外周部のうち，２辺の長辺１１，１２に沿う外周部には，破風板に設けた形状模様と同様の形状模様２１を設けてある。【選択図】  図１
2004285687.tif 000002
【特許請求の範囲】
【請求項１】
破風板の先端に配設する破風納め板を切断採取するための建築板であって，
該建築板は，等長の２辺の長辺がなす直角頂点を２等分する対称線分を中心とした線対称の形状を呈していると共に，
上記２辺の長辺と，該各長辺と直交する２辺の短辺と，該各短辺と略直交して一方の上記長辺に向かって延びる２辺の突出辺と，該２辺の突出辺の先端部を結ぶ斜辺とからなる建築板であって，
該建築板の外周部のうち，上記２辺の長辺に沿う外周部には，上記破風板に設けた形状模様と同様の形状模様を設けてあることを特徴とする破風納め板用の建築板。
【請求項２】
請求項１において，上記建築板は，長手方向に沿う一方の側端辺に沿って形状模様を設けた破風板を切断してなる第１片及び第２片と，第３片とを相互に接合してなり，
上記直角頂点は，上記破風板の上記側端辺に対して時計回りに所定の角度をなすように上記破風板を切断した第１片の切断面と，上記破風板の上記側端辺に対して反時計回りに上記所定の角度の補角をなすように上記破風板を切断した第２片の切断面との突き合わせにより構成してあり，
上記各短辺は，上記第１片又は上記第２片の他端を長手方向に略直交して切断した切断面によって構成してあり，
上記第１片と上記第２片とによって挟まれた直角三角形状を呈する領域には，少なくとも１枚の第３片を配設してあることを特徴とする破風納め板用の建築板。
【請求項３】
請求項２において，上記第３片は，上記破風板から切り出した部材であることを特徴とする破風納め板用の建築板。
【請求項４】
請求項１〜３のいずれか１項において，上記突出辺の長さは，上記長辺の長さの２．５％以上であることを特徴とする破風納め板用の建築板。
【請求項５】
破風板の先端に破風納め板を配設する施工構造において，
上記破風納め板は，等長の２辺の長辺がなす直角頂点を２等分する対称線分を中心とした線対称の形状を呈する建築板の一部を切断してなり，
該建築板は，上記２辺の長辺と，該各長辺と略直交する２辺の短辺と，該各短辺と略直交して一方の上記長辺に向かって延びる２辺の突出辺と，該２辺の突出辺の先端部を結ぶ斜辺とからなり，
かつ，該建築板の外周部のうち，上記２辺の長辺に沿う外周部には，上記破風板に設けた形状模様と同様の形状模様を設けてなり，
上記破風納め板は，該破風納め板の形状模様と，上記破風板の形状模様とが連続するように，上記破風板の先端に配設してあることを特徴とする破風納め板の施工構造。
【請求項６】
請求項５において，上記突出辺の長さは，上記長辺の長さの２．５％以上であることを特徴とする破風納め板の施工構造。
【発明の詳細な説明】
【０００１】
【技術分野】
本発明は，破風板の先端と鼻隠しとの間に配設する破風納め板を，生産効率よく安価に製造するための建築板と，その建築板から製造された破風納め板を配設した施工構造に関する。
【０００２】
【従来技術】
破風納め板１０は，後述する図７に示すごとく，屋根４の左右側面において，破風板２の先端部に配設するものである（例えば，登録意匠文献１参照。）。
即ち，図９に示すごとく，破風納め板９１は破風板９２の先端と鼻隠し９３と屋根９４との間に配設するものである。
【０００３】
そして，上記破風納め板９１は，図１０に示すごとく，垂直辺９１１と水平辺９１２と，上部斜辺部９１３と，破風板２の先端と当接させる突出部９１５とを有し，入り組んだ複雑な多角形の形状を呈している。さらに，破風納め板９１は，破風板の幅ｈ１，鼻隠しの高さｈ２，破風納め板の幅Ｌの各寸法，屋根勾配Ｋといった使用条件によっても，その形状寸法は様々なものとなる。
【０００４】
さらに，破風納め板９１の形状は，屋根の左側（同図（ａ）に示す。）に使用するものと右側（同図（ｂ）に示す。）に使用するものとが左右対称となっている。すなわち，化粧面であるおもて面の指定がある破風納め板９１については，左右同一の部材を使用することはできず，表面模様９２１を含めて相互に鏡像関係にある２種類の破風納め板９１を手配する必要がある。
【０００５】
【登録意匠文献１】
登録意匠番号９７７３５４号公報（「意匠に係る物品」，「意匠に係る物品の説明」，正面図，使用状態を示す参考図１）
【０００６】
【解決しようとする課題】
しかしながら，上記従来の破風納め板９１には，次の問題がある。
即ち，破風納め板９１は，上記のごとく入り組んだ複雑な多角形であるため，１個ずつ金型成形するか，あるいは，それぞれに切断された板材を所定形状に組み立て一体化して破風納め板とする必要がある。そのため，前者の場合には，予め全ての形状寸法に応じた金型を用意しておく必要があり，多大の設備費を必要とする。また，後者の場合には，組立作業が複雑となり，作業が困難である。その結果，納期までに多くの日数を要するという問題があった。
【０００７】
一方，その解決手段として，予め，予想される全ての形状寸法の破風納め板を在庫しておくことが考えられる。
しかし，それでは製造や保管のためにコストがかかるばかりでなく，遊休在庫が非常に多くなり，効率が悪くなる。
【０００８】
本発明は，かかる従来の問題点に鑑みてなされたもので，破風納め板を，生産効率よく安価に製造するための建築板と，その建築板から製造された破風納め板を配設した施工構造を提供しようとするものである。
【０００９】
【課題の解決手段】
第１の発明は，破風板の先端に配設する破風納め板を切断採取するための建築板であって，
該建築板は，等長の２辺の長辺がなす直角頂点を２等分する対称線分を中心とした線対称の形状を呈していると共に，
上記２辺の長辺と，該各長辺と直交する２辺の短辺と，該各短辺と略直交して一方の上記長辺に向かって延びる２辺の突出辺と，該２辺の突出辺の先端部を結ぶ斜辺とからなる建築板であって，
該建築板の外周部のうち，上記２辺の長辺に沿う外周部には，上記破風板に設けた形状模様と同様の形状模様を設けてあることを特徴とする破風納め板用の建築板にある（請求項１）。
【００１０】
上記第１の発明の上記建築板は，上記対称線分を中心とした線対称の外形状を呈している。そして，上記建築板の外周部のうち，上記２辺の長辺に沿う外周部には，上記破風板に設けた形状模様と同様の形状模様を設けてある。
そのため，上記建築板によれば，その形状及び表面の形状模様が相互に鏡像関係にある左右用の破風納め板のいずれかを，選択的に切り出すことが容易である。
【００１１】
すなわち，上記破風納め板では，右側用のものは，該破風納め板のおもて面に向かって左下側が直角形状，左側用のものは右下側が直角形状となっている。
そこで例えば，上記建築板から右側用の破風納め板を切断するときには，上記直角頂点を左下側に位置して，上記２辺の長辺を活かした所望形状に切断する。一方，左側用の破風納め板を切断するときには上記直角頂点を，右下側に位置させて切断すれば良い。
【００１２】
上記のごとく上記建築板から破風納め板を切断すれば，互いに鏡像関係を呈する左側用の破風納め板又は右側用の破風納め板を効率良く切り出すことができる。
すなわち，上記の建築板を予め用意しておけば，同一部材から右側用又は左側用の破風納め板を任意に切断採取することができる。
ここで，上記建築板は，上記左右用の破風納め板を選択的に切り出すために適切な形状としてあり，切断すべき箇所及び切断後に不要部となる部分を少なくして，材料効率良く利用できる。
【００１３】
なお，ここで，上記線対称の形状とは，物理的に完全な線対称の形状に限定されるのではなく，一見して線対称であると認識できる形状をいう。したがって，対称関係にある辺，頂点間に２割程度までの誤差があっても，上記線対称の形状に含まれる。
なおまた，上記建築板に設けた形状模様は，上記破風板の形状模様と一見して同様であると認識できる形状模様，すなわち，類似する形状模様を含むものである。
【００１４】
さらに，上記第１の発明の建築板では，上記斜辺と上記短辺との間に上記突出辺を配することにより，該突出辺と上記短辺と上記長辺の一部によって形成される端部が，上記斜辺から外方に突出するように構成してある。
そして，この端部は，上記破風納め板を切断加工する際の不要部である。
【００１５】
そのため，この不要部である端部を構成する上記短辺を構成する端面の面精度を高く確保する必要がない。それ故，上記第１の発明の建築板では，上記短辺をなす端面の形成が容易である。
さらに，上記建築板を取り扱うに当たっては，上記端部を鉛直方向下側に向けて，床面に仮置き等することができ便利である。このように，建築板を仮置きすれば，破風納め板を構成する可能性がある部分，特に上記各長辺や斜辺等に欠け，割れ等を生じるおそれが少なく，施工前の不良品の発生を抑制することができる。
特に，上記斜辺を下側にして該斜辺が床面と略平行とした状態で，上記建築板を壁面等に立て掛ければ，安定性良く仮置きすることができ，割れ，欠け等の不意のトラブルを未然に回避することができる。
【００１６】
さらに，上記突出辺と上記短辺と上記長辺とによる端部をなす突出辺と長辺とは平行としてある。
そのため，全体をして三角形状に近い上記建築板にあっても，上記突出辺と上記長辺とで形成される平行部分に荷紐等をかけ易く，荷紐等のゆるみによる荷くずれ等を生じるおそれを少なくして強固に荷造りすることができる。
従って，上記建築板では，運搬中等の荷くずれに起因した割れや欠け等，不良品が発生するおそれが少ない。
【００１７】
なお，上記突出辺と上記長辺との平行とは，一見して平行に見える程度をいう。特に，上記突出辺と上記長辺とに挟まれた領域が上記のごとく不要部であることを考慮すれば，両者のなす角が３０度程度以内までは上記平行の範囲に含まれる。また，これに付随して，上記短辺と上記長辺とがなす直角及び，上記短辺と上記突出辺とがなす直角の範囲についても，２割程度までの誤差範囲が含まれてる。
【００１８】
以上のごとく，上記第１の発明の建築板によれば，施工用の建築板の種類を抑制することにより該建築板自体の製造コストを抑制できると共に，不良品としての建築板の発生を抑制することにより施工コストを低減することができる。
【００１９】
第２の発明は，破風板の先端に破風納め板を配設する施工構造において，
上記破風納め板は，等長の２辺の長辺がなす直角頂点を２等分する対称線分を中心とした線対称の形状を呈する建築板の一部を切断してなり，
該建築板は，上記２辺の長辺と，該各長辺と略直交する２辺の短辺と，該各短辺と略直交して一方の上記長辺に向かって延びる２辺の突出辺と，該２辺の突出辺の先端部を結ぶ斜辺とからなり，
かつ，該建築板の外周部のうち，上記２辺の長辺に沿う外周部には，上記破風板に設けた形状模様と同様の形状模様を設けてなり，
上記破風納め板は，該破風納め板の形状模様と，上記破風板の形状模様とが連続するように，上記破風板の先端に配設してあることを特徴とする破風納め板の施工構造にある（請求項５）。
【００２０】
上記第２の発明の施工構造は，上記第１の発明の上記建築板に基づいて，上記２辺の長辺を活かして切り出した所望形状の上記破風納め板を，上記破風板の先端に配設した構造である。
そして，上記破風納め板は，該破風納め板の形状模様と，上記破風板の形状模様とが連続して形成されるように，上記破風板の先端に配設してある。
そのため，上記第２の発明の施工構造では，破風板から破風納め板にかけての一体性，連続性に優れており，優れた美観を呈する。
【００２１】
【発明の実施の形態】
上記第１の発明においては，上記建築板は，長手方向に沿う一方の側端辺に沿って形状模様を設けた破風板を切断してなる第１片及び第２片と，第３片とを相互に接合してなり，
上記直角頂点は，上記破風板の上記側端辺に対して時計回りに所定の角度をなすように上記破風板を切断した第１片の切断面と，上記破風板の上記側端辺に対して反時計回りに上記所定の角度の補角をなすように上記破風板を切断した第２片の切断面との突き合わせにより構成してあり，
上記各短辺は，上記第１片又は上記第２片の他端を長手方向に略直交して切断した切断面によって構成してあり，
上記第１片と上記第２片とによって挟まれた直角三角形状を呈する領域には，少なくとも１枚の第３片を配設してあることが好ましい（請求項２）。
【００２２】
ここで，上記所定の角度の補角とは，直角（９０度）から上記所定の角度を差し引いた角度をいい，上記所定の角度と上記補角とは，両者を合わせて直角（９０度）を形成する。
そして，上記破風板の上記側端辺に対して時計回りに所定の角度をなすように上記破風板を切断した第１片の切断面と，上記破風板の上記側端辺に対して反時計回りに上記所定の角度の補角をなすように上記破風板を切断した第２片の切断面との突き合わせにより上記直角頂点を構成すれば，上記建築板の上記各長辺に沿って確実に上記形状模様を配置することができる。
【００２３】
そしてそのため，上記建築板によれば，上記破風板に形成された上記形状模様と連続した形状模様を有する上記破風納め板を効率良く切り出すことができる。
なお，上記角度値は，物理的に厳密な角度に限定されるものではなく，２割程度までの誤差を含むものである。
【００２４】
さらに，上記建築板では，上記第１片及び上記第２片の他端を外方に延長することにより，上記斜辺と上記短辺との間に上記突出辺を形成してある。
そのため，上記建築板では，各片の寸法精度に多少の誤差を生じたとしても，上記第３片からなる領域が上記短辺を越えて外方に突出するおそれが少なく，該第３片からなる領域が鋭角頂点を形成するおそれが少ない。
それ故，上記建築板では，上記破風納め板の一部をなす可能性を有する上記第３片からなる領域に割れ，欠け等を生じるおそれが少ない。
【００２５】
さらにまた，上記建築板は，上記破風板を切り出した上記第１片及び上記第２片と，上記第３片との組み合わせで構成されている。
そのため，従来の破風納め板のように１個ずつ異なった金型を用いて成形する必要がない。
【００２６】
また，上記第３片は，上記破風板から切り出した部材であることが好ましい（請求項３）。
この場合には，上記破風板と全く同一素材からなる上記破風納め板を形成することができる。
そのため，破風板と破風納め板との接着に際して，その接合部分を容易に接着することができ，かつ，その接合部分は強い接着力を発揮し得る。
【００２７】
さらに，上記破風納め板は，上記破風板のみから効率良く製造することができる。
特に，一般に，押出成形等によって製造されることが多い上記破風板を利用して上記建築板を製造すれば，その製造工程において金型成形等を不要として，大幅なコスト低減を図ることができる。
なお，上記第３片としては，１枚又は２枚以上の板片によって形成することができる。このとき，上記破風板の形状模様を除いて上記第３片を構成すれば，外周部のみに上記形状模様を有する上記建築板を得ることができる。
【００２８】
また，上記突出辺の長さは，上記長辺の長さの２．５％以上であることが好ましい（請求項４）。
この場合には，上記突出辺と上記短辺と上記長辺とからなる端部を設ける効果を十分に発揮させることができる。
一方，上記突出辺の長さが，上記長辺の長さに対して２．５％未満であると，上記建築板のうち上記破風納め板として切断採取する部分を保護する効果や，上記建築板の荷造り作業等の効率が阻害されるおそれがある。
【００２９】
上記第２の発明においては，上記突出辺の長さは，上記長辺の長さの２．５％以上であることが好ましい（請求項６）。
この場合には，上記突出辺と上記短辺と上記長辺とからなる端部を設ける効果を十分に発揮することができる。
一方，上記突出辺の長さが，上記長辺の長さに対して２．５％未満であると，上記建築板のうち上記破風納め板として切断採取する部分に欠けや割れ等を生じるおそれが高くなる。そして，割れや欠け等による上記建築板の施工前不良が増加する。
【００３０】
【実施例】
（実施例１）
本例の建築板１及びその施工構造につき，図１〜図７を用いて説明する。
図１，図３に示すごとく，本例の建築板１は，破風板２（図６）の先端側に組み合わせて配設する破風納め板１０（図４）を切断採取するための建築板である。
該建築板１は，等長の２辺の長辺１１，１２がなす直角頂点１９を２等分する対称線分を中心とした線対称の形状を呈している。
そして，該建築板１は，上記２辺の長辺１１，１２と，該各長辺１１，１２と直交する２辺の短辺１４，１５と，該各短辺１４，１５と略直交して一方の上記長辺１２，１１に向かって延びる突出辺１７，１８と，該２辺の突出辺１７，１８の先端部１７１，１８１を結ぶ斜辺１６とからなる。
また，上記建築板１の外周部のうち，上記２辺の長辺１１，１２に沿う外周部には，上記破風板２に設けた形状模様２１と同様の形状模様２１を形成してある。
以下に，この内容について詳しく説明する。
【００３１】
本例の建築板１は，図１に示すごとく，長手方向に沿う一方の側端辺に沿って形状模様２１を設けた破風板２（図２）から切り出した第１片１１１，第２片１２１及び第３片１３１〜１３３を，相互に接着剤により接着したものである。
そして，この建築板１は，破風納め板１０（図４）を切断採取するための建築用資材である。
【００３２】
ここで，本例の破風板２としては，セメント系窯業建築板を適用した。そして，この破風板２のおもて面には，図６に示すごとく，長手方向に沿う一方の側端辺に沿って，幅方向の外方に向かって２段階に薄肉化する階段状の形状模様２１（図１（ｂ）参照。）を形成してある。
【００３３】
この建築板１では，図１に示すごとく，破風板２の上記側端辺に対して時計回りに所定の角度をなすように上記破風板２を切断した第１片１１１の切断面と，破風板２の上記側端辺に対して反時計回りに上記所定の角度の補角をなすように破風板２を切断した第２片１２１の切断面との突き合わせにより上記直角頂点１９を形成してある。
また，上記第１片１１１又は上記第２片１２１の他端は，破風板２の長手方向に直交して切断した切断面によって，上記各短辺１４，１５を形成している。
そして，第１片１１１と第２片１２１とにより挟まれた領域には，上記破風板２から切り出した３枚の第３片１３１〜１３３を配設してある。
【００３４】
なお，本例では，第１片１１１と第２片１２１とを突き合わせる切断面の切断角度は，共に４５度とした。
なお，この切断角度は，４５度に限定されるものではなく，第１片１１１の切断角度と，第２片の切断角度との和が略９０度となれば，それぞれの切断角度をいずれに設定しても良い。
【００３５】
上記第１辺１１１及び上記第２辺１２１の切り出しに当たっては，図２（ａ）に示すごとく，上記第１片１１１，第２片１２１の一方の端部を，同図の点線８２，８３に示すごとく，角度４５度で切断すると共に，他方の端部を，同図の点線８１及び８４に示すごとく，長手方向に直交して切断する。
【００３６】
ここで，切断線としての点線８２は，破風板２の形状模様２１を設けた側端辺に対して，時計回りに４５度をなすように設定してある。また，切断線としての点線８３は，破風板２の形状模様２１を設けた側端辺に対して，反時計回りに４５度をなすように設定してある。
このように点線８２及び８３を設定することにより，第１片１１１及び第２片１２１それぞれを，破風板２の形状模様２１を底辺（長い方の辺）側にした台形状として切り出すことができる。
【００３７】
次に，上記第３片１３１，１３２，１３３については，まず，同図（ｂ）の点線８６に沿って形状模様２１が形成された部分を切除し，次いで，４５度で傾斜する点線８５１〜８５４に沿って切断する。
これにより，直角二等辺三角形状の第３片１３１と，該第３片１３１の斜辺の長さを上辺の長さとする台形状の第３片１３２と，該第３片１３２の底辺の長さを上辺の長さとする台形状の第３片１３３とを切り出す。
【００３８】
ここで，本例では，第１片１１１と第２片１２１の長手方向の側端辺であって，形状模様２１が形成されていない側の側端辺の長さを，上記第３片１３１の直角をなす辺の長さと，上記第３片１３２の斜辺の長さと，上記第３片１３３の斜辺の長さとの総和よりも長くしてある。
【００３９】
このように上記第１片１１１及び上記第２片１２１の長手方向の長さを設定することにより，上記短辺１４，１５と，台形状を呈する上記第３片１３２の下辺により構成された上記斜辺１６との間に，上記突出辺１７，１８（図１）を形成することができる。
なお，本例では，直角頂点１９から短辺１４，１５の長さ８０ｃｍに対して，突出辺１７，１８の長さが２ｃｍとなるように，上記第１片１１１，１２１の長手方向の長さを設定した。
【００４０】
そして，第１片１１１と第２片１２１とにより挟まれた領域に，第３片１３１，第３片１３２，第３片１３３を，直角頂点１９に近い側から順番に配置してこれらを隙間無く接合して上記の建築板１を製造した。
【００４１】
そして，上記建築板１では，次のような手順により，破風納め板１０を切断採取する。
ここで，本例の破風納め板１０は，図４に示すごとく，相互に直交する水平辺１１０と垂直辺１２０とを有しており，水平辺１１０と直交する前辺１６１と，垂直辺１２０と所定の角度で交わる接辺１６３と，前辺１６１及び接辺１６３の先端部を結ぶ上斜辺１６２とからなる五角形状を呈する建築用部材である。
また，破風納め板１０にはおもて面の指定があり，該おもて面には形状模様２１を形成してある。
【００４２】
そして，上記破風納め板１０を取り付ける際には，図６に示すごとく，形状模様２１を形成したおもて面を外部に露出させると共に，上記前辺１６１と鼻隠し３とを，上記接辺１６３と破風板２とをそれぞれ突き合わせる。このとき，上記上斜辺１６２は，屋根４の下面と接触することとなる。
【００４３】
従って，図６に示すごとく，破風納め板１０の各部の寸法は，次のように設定される。
すなわち，上記鼻隠し３に接する前辺１６１の長さは，鼻隠し３の高さに略一致してある。
また，屋根４に接する上斜辺１６２の傾きは，屋根勾配と略一致してある。
またさらに，破風板２に接する接辺１６３の傾き及びその長さは，破風板２の先端２３の傾き及び長さと略一致してある。
【００４４】
ここで，破風納め板１０の垂直辺１２０と水平辺１１０とは，図７に示すごとく，屋根４の施工構造の外縁をなす辺である。
すなわち，破風納め板１０の垂直辺１２０は，破風板２と連接すると共に，垂直に配置される辺である。
また，破風納め板１０の水平辺１１０は，鼻隠し３に連接すると共に，水平に配置される辺である。
【００４５】
破風納め板１０を切断採取するに当たっては，上記水平辺１１０，垂直辺１２０に沿って，破風板２と連続する形状模様２１が配置されるように，破風納め板１０を切断加工する必要がある。
そこで，本例では，破風納め板１０の水平辺１１０及び垂直辺１２０が，建築板１の長辺１１又は１２から切り出され，水平辺１１０と垂直辺１２０とがなす頂点が，建築板１の直角頂点１９から構成されるように破風納め板１０を切断加工した。
【００４６】
右側用の破風納め板１０は，図３に示すごとく，図中，破線で示す切断線に沿って建築板１から切り出すことができる。
ここで，右側用の破風納め板１０では，取り付けられたとき，水平辺１１０と垂直辺１２０との頂点が，妻面６（図６）に向かって左下側に配置される。そこで，同図では，理解の容易のため，水平辺１１０と垂直辺１２０との頂点となる直角頂点１９が左下側に配置されるように建築板１を図示してある。
そして，右側用の破風納め板１０は，長辺１２から水平辺１１０が切り出され，長辺１１から垂直辺１２０が切り出されるように建築板１を切断加工したものである。
【００４７】
右側用の破風納め板１０を切断採取するに当たっては，図３に示すごとく，建築板１の長辺１２と直交するように，上記前辺１６１を形成するための切断線を配置する。
また，建築板１の長辺１１と所定の角度をなすように，上記接辺１６３を形成するための切断線を配置する。
さらに，上記前辺１６１から接辺１６３に向けて，屋根勾配と同一角度で傾く上斜辺１６２を形成するための切断線を配置する。
そして，図４に示すごとく，右側用の破風納め板１０は，これらの切断線に従って建築板１を切断加工して，該建築板１から切断採取したものである。
【００４８】
一方，左側用の破風納め板１０は，図５に示すごとく，建築板１（図中，破線で示す。）から切断採取することができる。
左側用の破風納め板１０では，取り付けられたとき，水平辺１１０と垂直辺１２０との頂点が，妻面６（図６）に向かって右下側に配置される。そこで，同図では，理解の容易のため，水平辺１１０と垂直辺１２０との頂点となる直角頂点１９が右下側に配置されるように建築板１（図中，破線で示す。）を図示してある。
【００４９】
そして，左側用の破風納め板１０は，長辺１１から水平辺１１０が切り出され，長辺１２から垂直辺１２０が切り出されるように建築板１から切断採取したものである。
すなわち，長辺１１及び１２と，水平辺１１０及び垂直辺１２０との対応関係は，右側用の破風納め板１０の場合と逆になる。右側用の破風納め板１０と左側用の破風納め板１０とが，鏡像関係にあるためである。
【００５０】
そして，図５に示すごとく，左側用の破風納め板１０を建築板１から切り出す際には，水平辺１１０及び垂直辺１２０と，長辺１１及び長辺１２との対応関係だけでなく，前辺１６１や接辺１６３等を形成する切断線を，上記対称線分を中心にして線対称に配置する。
【００５１】
以上のごとく，本例の建築板１によれば，破風納め板１０の水平辺１１０，垂直辺１２０を，建築板１の長辺１１又は長辺１２のいずれから切り出すか，その対応関係の切り替えにより，１種類の建築板１から鏡像関係にある左右側用の破風納め板１０を，選択的に切り出すことができる。
【００５２】
なお，鏡像関係にある左側用の破風納め板１０を切断加工する他の方法としては，次にような方法もある。
すなわち，建築板１の裏面に，裏面を接触させるよう重ね合わせた右側用の破風納め板１０の外形状に沿って，上記建築板１を切断する方法である。
この方法によれば，右側用の破風納め板１０と鏡像関係にある左側用の破風納め板１００を切断加工するに当たって，切断し間違いを生じるおそれを少なくできる。
【００５３】
次に，本例の建築板１の施工構造について，図６，図７を用いて説明する。
右側用の上記破風納め板１０は，図６に示すごとく，屋根４の右側の破風板２の端部に接着される。
ここで，本例の破風納め板１０では，垂直辺１２０に沿って破風板２と同様の形状模様２１を形成してある。そのため，破風板２と破風納め板１０とを，一体性高く美しく施工することができる。
なお，左側用の破風納め板１００も同様に施工する。
【００５４】
上記破風納め板１０と破風板２とは，図７に示すごとく，屋根４と妻面６との間に配設されている。上記破風板２，鼻隠し３，屋根４，妻面６，及び上記破風納め板１０の位置関係は，上記従来例（図９参照）と同様である。
【００５５】
上記のごとく，本例の建築板１では，相互に直交する２辺の長辺１１，１２に沿って形状模様２１を設けてある。
そのため，この建築板１では，切り出す破風納め板１０の水平辺１１０及び垂直辺１２０と，辺１１又は辺１２との対応関係の切り換えにより，左側用の破風納め板１０と右側用のものとを，選択的に切り出し可能である。
【００５６】
また，この建築板１を，任意に設定する切断線に沿って切断すれば，様々な施工寸法の破風納め板１０を切り出しできる。
したがって，本例の上記建築板１であれば，種々の破風納め板の切り出し用に予め多数製造しておくことができ，生産効率が向上すると共にコストも大幅に低減できる。
【００５７】
また，破風納め板１０の水平辺１１０及び垂直辺１２０を，建築板１の辺１１，１２から切り出せば，破風板２の形状模様２１と連続する形状模様２１を，破風納め板１０の外周に配置することができる。
加えて，本例の上記施工構造では，破風板２の形状模様２１と上記破風納め板１０の形状模様２１とが連続するように，上記破風板２及び上記破風納め板１０を施工する。
そのため，施工後の破風板２と破風納め板１０とのつなぎめの外観は，全く違和感がない，美しい仕上がりとなる施工をすることができる。
【００５８】
さらに，本例の建築板１では，第１片１１１と第２片１２１とにより直角頂点１９を形成すると共に，第１片１１１及び第２片１２１の他端を外方に延長することにより，斜辺１６と短辺１４，１５との間に突出辺１７，１８を形成してある。
そのため，この建築板１では，各片の寸法精度に多少の誤差を生じたとしても，第１片１１１と第２片１２１とによる三角部を形成する第３片１３３が，短辺１４，１５を越えて外方に突出して鋭角な頂点を形成するおそれが少ない。
それ故，本例の建築板１では，外方に面して配置した第３片１３３の割れ，欠け等を生じるおそれが少ない。
【００５９】
また，第３片１３３が形成する斜辺１６は，２辺の突出辺１７，１８の各先端部を結ぶ線分から内方に位置している。そして，突出辺１７，１８と短辺１４，１５とが端部は，上記破風納め板１０を切断加工する際の不要部である。
そのため，建築板１を取り扱うに当たっては，上記端部を鉛直方向下側にして建築板１全体を支持することができる。例えば，建築板１の上記端部を，床面等に接触させた状態で仮置き等することができ便利である。
このように建築板１を仮置きしても，破風納め板１０を構成する可能性がある部分について，割れや欠け等を生じるおそれが少なく，施工前の不良品としての建築板の発生を抑制することができる。
【００６０】
さらにまた，本例の建築板１では，短辺１４，１５と突出辺１７，１８と長辺１１，１２とによりなる端部において，突出辺１７，１７と長辺１１，１２とを平行にしてある。
そのため，全体をして三角形状に近い本例の建築板１にあっても，上記突出辺１７，１８と上記長辺１１，１２とで形成される平行部分に荷紐等をかけ易く，荷紐等のゆるみによる荷くずれ等を生じるおそれを少ない。
従って，この建築板１では，運搬中等の荷くずれに起因した割れや欠け等，不良品が発生するおそれが少ない。
【００６１】
上記のごとく，本例の建築板１は，該建築板１を取り扱う作業の作業性が良好であり，荷造り性も良好である。
従って，本例の建築板１では，作業中のミスや運搬中の荷くずれ等に起因して割れや欠け等，不良品が発生するおそれが少ない。
【００６２】
また，本例の建築板１は，一般的に押出成形により製造される破風板２を適宜切断してなる上記第１片１１１，第２片１２１，第３片１３１〜１３３を組み合わせて接合したものである。
そのため，上記建築板１を製造するに当たって，生産コストの高い金型成形加工等を適用せずに，加工できる可能性がある。
【００６３】
なお，本例の建築板１では，上記第３片としては，図１に示すごとく，直角三角形の第３片１３１と，上記直角三角形の斜辺の長さを上辺の長さとする台形の第３片１３２と，上記台形の底辺の長さを上辺の長さとする台形の第３片１３３とを利用している。
【００６４】
これに代えて，図８に示すごとく，長方形状の４枚の板材１３４〜１３７を第３片として利用し，該４枚の第３片を突き合せ接合して，上記建築板１を製造することもできる。
この場合には，第３片１３４〜１３７が縦横に組立てられるので，建築板全体としてバランスがよくなり生産効率を向上することができる。
【００６５】
さらになお，上記第３片としては，破風板２と同一素材により作製した略正方形の原板を，その対角線に沿って切断してなる略直角２等辺三角形状の部材を利用することもできる。
この場合には，上記第１片１１１と上記第２片１２１とにより形成される直角２等辺三角形状の領域を，１枚のみの第３片により構成して，さらに生産効率良く上記破風納め板１０を製造することができる。
【図面の簡単な説明】
【図１】実施形態例１における，破風納め板用建築板の（Ａ）正面図，（Ｂ）右側側面図。
【図２】実施形態例１における，破風板から第１片〜第３片を切り出す場合の説明図。
【図３】実施形態例１における，建築板から破風納め板を切断採取する場合の説明図。
【図４】実施形態例１における，右側用破風納め板の正面図。
【図５】実施形態例１における，左側用破風納め板の正面図。
【図６】実施形態例１における，破風板と破風納め板の施工状態を示す説明図。
【図７】実施形態例１における，破風板，破風納め板を施工した屋根の斜視図。
【図８】実施形態例１における，破風納め板用建築板作製の他の例を示す説明図。
【図９】従来例における，破風板，破風納め板の施工状態の展開説明図。
【図１０】従来例における，破風納め板の正面図。
【符号の説明】
１．．．破風納め板用の建築板，
１０，１００．．．破風納め板，
１１，１２．．．長辺，
１４，１５．．．短辺，
１７，１８．．．突出辺，
１１１．．．第１片，
１２１．．．第２片，
１３１，１３２，１３３．．．第３片，
２．．．破風板，
２１．．．形状模様，
【図１】
2004285687.tif 000003
【図２】
2004285687.tif 000004
【図３】
2004285687.tif 000005
【図４】
2004285687.tif 000006
【図５】
2004285687.tif 000007
【図６】
2004285687.tif 000008
【図７】
2004285687.tif 000009
【図８】
2004285687.tif 000010
【図９】
2004285687.tif 000011
【図１０】
2004285687.tif 000012